(57)【特許請求の範囲】
【請求項１】
差分技術を用いて画像品質測定を行う際に、コンポジット・アナログ・ビデオ信号のカラー・フレーム位相のアライメントを制御し検出する装置であって、
上記コンポジット・アナログ・ビデオ信号をデコードして、コンポーネント・デジタル・ビデオ信号を発生すると共に、上記コンポジット・アナログ・ビデオ信号の各カラー・フレームの開始においてカラー・フレーム信号を発生する手段と、
上記カラー・フレーム信号に基づいて、上記コンポーネント・デジタル・ビデオ信号の複数のコンポーネントの１つにフラッグ信号を挿入して、カラー・フレーム内の各フレームの位相を示す手段と、
上記フラッグ信号に応答して、上記コンポーネント・デジタル・ビデオ信号を捕捉して、捕捉した上記コンポーネント・デジタル・ビデオ信号を基準コンポーネント・デジタル・ビデオ信号とカラー・フレーム位相を同相にする手段とを具え、
上記基準コンポーネント・デジタル・ビデオ信号のフレーム数は、上記コンポジット・アナログ・ビデオ信号のカラー・フレームの整数倍のプラスマイナス１のフレーム数であることを特徴とするコンポジット・アナログ・ビデオ信号のカラー・フレーム位相のアライメントを制御及び検出する装置。
【請求項２】
差分技術を用いて画像品質測定を行う際に、コンポジット・アナログ・ビデオ信号のカラー・フレーム位相のアライメントを制御し検出する方法であって、
上記コンポジット・アナログ・ビデオ信号をデコードして、カラー・フレーム信号及びコンポーネント・デジタル・ビデオ信号を発生するステップと、
上記カラー・フレーム信号に基づいて、上記コンポーネント・デジタル・ビデオ信号にフラッグ信号を挿入するステップと、
上記フラッグ信号に基づいて、上記コンポーネント・デジタル・ビデオ信号を捕捉して、捕捉した上記コンポーネント・デジタル・ビデオ信号を、蓄積された基準コンポーネント・デジタル・ビデオ信号とカラー・フレーム位相を同相にするステップとを具え、
上記基準コンポーネント・デジタル・ビデオ信号のフレーム数は、上記コンポジット・アナログ・ビデオ信号のカラー・フレームの整数倍のプラスマイナス１のフレーム数であることを特徴とするコンポジット・アナログ・ビデオ信号のカラー・フレームのアライメントを制御及び検出する方法。
【請求項３】
差分技術を用いて画像品質測定を行う際に、コンポジット・アナログ・ビデオ信号のカラー・フレーム位相のアライメントを制御し検出する装置であって、
被試験システムにより処理されたテスト・シーケンスを表すコンポジット・アナログ・ビデオ信号を受け、コンポーネント・デジタル・ビデオ信号及びカラー・フレーム信号を出力するデコーダと、
上記コンポーネント・デジタル・ビデオ信号及び上記カラー・フレーム信号を受け、上記コンポーネント・デジタル・ビデオ信号及び上記カラー・フレーム信号に応じてフラッグ信号を発生し、特定位置で且つ特定期間に上記コンポーネント・デジタル・ビデオ信号の複数のコンポーネントの１つに上記フラッグ信号が挿入された変調コンポーネント・デジタル・ビデオ信号を出力するフラッグ挿入回路と、
上記変調コンポーネント・デジタル・ビデオ信号を受け、上記被試験システムの入力における上記テスト・シーケンスを表す基準コンポーネント・デジタル・ビデオ信号と比較する際に、上記変調コンポーネント・デジタル・ビデオ信号内の上記フラッグ信号に基づいて、上記比較の前に上記カラー・フレーム位相が上記基準コンポーネント・デジタル・ビデオ信号のカラー位相とアライメントがとれたときに上記変調コンポーネント・デジタル・ビデオ信号を捕捉するアナライザとを具え、
上記基準コンポーネント・デジタル・ビデオ信号のフレーム数は、上記コンポジット・アナログ・ビデオ信号のカラー・フレームの整数倍のプラスマイナス１のフレーム数であることを特徴とするコンポジット・アナログ・ビデオ信号のカラー・フレーム位相のアライメントを制御及び検出する装置。
【発明の詳細な説明】
【０００１】
【発明の属する技術分野】
本発明は、一般に、ビデオ信号の測定、特に、差分技術を用いて画像品質測定を行う際にコンポジット・ビデオ・カラー・フレームのアライメントを制御し検出する装置及び方法に関する。
【０００２】
【従来の技術】
本願出願人のアメリカ合衆国オレゴン州ウィルソンビルのテクトロニクス・インコーポレイテッド製ＰＱＡ２００型画像品質アナライザ（分析器）に用いられたり、本願出願人に譲渡されたアメリカ合衆国特許第５８１８５２０号「圧縮ビデオ品質の自動測定用プログラマブル測定機器」（特開平９−２３３５０２号に対応）に記載されている差分技術により画像品質を測定する際、被測定ビデオ・システムがＮＴＳＣ、ＰＡＬ又はＳＥＣＡＭテレビジョン標準（スタンダード）によりエンコードされた信号を用いているならば、テスト基準シーケンスに関連したコンポジット・カラー・フレーム・シーケンスの位相は、既知であり、制御できる必要がある。この問題は、アナログ・コンポーネント分野においても先ず生じる一般的な問題にまで拡大されている。すなわち、コンポジット及びコンポーネントの間にエンコード及びデコードの多数の世代（即ち、エンコード及びデコードにより生じる途中経過の信号）が存在すると、良質なビデオ再生を確実にするために、元（オリジナル）のエンコードの位相を維持しなければならない。なお、差分技術とは、基準ビデオ信号と、この基準ビデオ信号を受けた被試験システムの出力ビデオ信号との差分を求めて、画像品質を測定する方法である。
【０００３】
この問題の原因は、図２に示すように、コンポーネント信号が本質的にわずか２フィールドのシーケンスであるが、コンポジットにエンコードしたＮＴＳＣは、４フィールド・シーケンスであり、コンポジットにエンコードしたＰＡＬは、８フィールド・シーケンスであり、コンポジットにエンコードしたＳＥＣＡＭは、１２フィールド・シーケンスのためである。エンコード及びデコード処理の多くのアーティファクトは、サブキャリア位相に応じて異なる。サブキャリア位相はカラー・フレームにわたって変化するので、異なるカラー・フレーム位相に対して、２つのエンコード及びデコード・サイクルを用いると、アーティファクトが相互作用し、ビデオ品質が大幅に低下する。よって、連続したエンコード及びデコード・サイクルのカラー・フレーム位相をオリジナルと同じに保持する必要がある。
【０００４】
【発明が解決しようとする課題】
歴史的には、カラー・フレーム・レートの信号である「ブラック・バースト」をスタジオ・アプリケーションの基準として用いることにより、カラー・フレーム位相合わせが行われてきた。これにより、エンコードする際に、総てのエンコーダがサブキャリア・バーストの同じ位相を使用できることを確実にする。デコーダは、入力コンポジット信号からのカラー・フレーム位相を検知する。ビデオの世界は、デジタル・コンポーネント・ビデオ及びＭＰＥＧ圧縮ビデオの方向に向かっているので、ブラック・バースト基準は、スタジオにおいて、カラー・フレーム位相を制御する方法として使用され続けている。ビデオがコンポーネント・フォーマットで伝送され、受信端にブラック・バースト基準がないシステムにおいても、この問題が生じる。この場合、この制御を可能にするためにいくつかの他の方法が必要とされている。これら他の方法のシステムの例としては、受信器においてブラック・バースト基準が利用できない家庭に配信を行うＭＰＥＧサテライト配信や、エンコーダがブラック・バーストを基準としないシステムがある。
【０００５】
カラー・フレーム位相の制御を失敗すると、差分技術によるビデオの忠実度測定には２つの大きな問題がある。第１に、基準ビデオ・シーケンスを蓄積する際に用いるサブキャリア位相が、被試験システム（ＳＵＴ）からのビデオ・シーケンスの測定を行う際に用いるものと異なると、エンコード／デコーダのアーティファクトを除去できず、かかるアーティファクトを含んだことにより、本来よりも測定結果が悪くなる。サブキャリア位相が制御されないと、この結果、例えば、ＮＴＳＣの場合には結果が２つのモードの配信となり、ＰＡＬの場合には３つ又は４つのモードになる。
【０００６】
第２の問題は、ＳＵＴ内に第２組のエンコード及びデコード機能があった場合である。第２組のエンコードの位相が第１組の位相とマッチしないと、上述の相互作用が生じ、ビデオ忠実度の大幅な低下が生じる。この差分技術は、ビデオ品質が大幅に低下したことを正確に報告するが、原因が検出されるまで、報告を受けた操作者は、結果を誤解するか又はその結果を信頼しない。
【０００７】
したがって、差分技術を用いて画像品質の測定を行う際に、コンポジット・カラー・フレームのアライメントをとるカラー・フレーム位相合わせを制御し検出する方法及び装置が望まれている。なお、コンポジット・アナログ・ビデオ信号をデコードして得たコンポーネント・デジタル・ビデオ信号においても、サブキャリア位相が正しく制御されていないかもしれないことを考慮すれば、コンポーネント・デジタル・ビデオ信号におけるカラー・フレーム位相合わせが必要になる。
【０００８】
【課題を解決するための手段】
よって、本発明は、差分技術により画像品質の測定を行う際に、コンポジット・アナログ・ビデオ・カラー・フレームのアライメントを制御し検出する方法及び装置を提供するものであり、このコンポジット・アナログ・ビデオ信号をデコードして、コンポーネント・デジタル・ビデオ信号を発生すると共に、カラー・フレーム信号も発生する。このカラー・フレーム信号を用いて、各カラー・フレームの開始において、コンポーネント・デジタル・ビデオ信号にフラグ信号を挿入している。アナライザ（分析器）がこのフラグ信号を用い、カラー・フレーム位相が、蓄積されている基準コンポーネント・デジタル・ビデオ信号の位相に一致（マッチ）した際に、コンポーネント・デジタル・ビデオ信号を捕捉する。基準コンポーネント・デジタル・ビデオ信号のシーケンス長は、ビデオ・フレームにおいて、カラー・フレームの整数倍プラスマイナス１ビデオ・フレームに等しく、コンポーネント・デジタル・ビデオ信号に匹敵する回転（ローリング）シーケンスを発生する。
【０００９】
本発明の目的、利点及びその他の新規な特徴は、添付図を参照した以下の詳細説明から明らかになろう。
【００１０】
【発明の実施の形態】
図１は、本発明によるカラー・フレーム位相アライメントの制御及び検出を用いて、コンポジット・アナログ・ビデオ入力を受ける被試験システムのビデオ忠実度を試験する装置のブロック図である。ビデオ・テスト・シーケンス・ソース（信号源）１２は、コンポーネント・デジタル・ビデオ信号をエンコーダ（エンコード手段）１４に供給する。このエンコーダ１４は、ＮＴＳＣ、ＰＡＬ又はＳＥＣＡＭの如き特定のテレビジョン標準に応じて、コンポーネント・デジタル・ビデオ信号をコンポジット・アナログ・ビデオ信号に変換する。エンコーダ１４は、カラー・フレームの開始を示すフレーム・フラッグを有するブラック基準をソース１２に供給して、エンコーダ１４からのテスト・シーケンス出力が常に同じカラー・フレーム位相になるのを確実にする。次に、コンポジット・アナログ・ビデオ信号を被試験システム（ＳＵＴ）１６に供給する。ソース１２は、エンコーダ１４と共に、ビデオ信号発生送信器２０内に配置されたデジタル信号プロセッサ（ＤＳＰ）ボード１８の一部でもよい。ＳＵＴ１６は、エンコーダ１４からの信号入力を処理し、それに対応するコンポジット・アナログ・ビデオ信号を出力する。ＳＵＴ１６からのコンポジット・アナログ・ビデオ信号は、受信器２４内のデコーダ（デコード手段）２２に供給される。
【００１１】
受信器２４及び送信器２０は、テクトロニクス社製ＰＱＡ２００型画像品質アナライザ（分析器）の如き単一の測定機器の一部でもよい。デコーダ２２は、コンポーネント・デジタル・ビデオ信号と、カラー・フレームの開始フィールドを示すフレーム信号とを出力する。フラグ挿入回路２６は、ルミナンス・コンポーネント（輝度成分）の如きコンポーネント・デジタル信号の１つのコンポーネントに、アクティブ・ビデオ期間の特定のライン及びピクセル位置で、即ち、ＩＴＵ−Ｒ ＢＴ．６０１−４デジタル・ビデオの場合には、アクティブ・ビデオ開始（ＳＡＶ）インディケータの後に、フラッグ信号を挿入する。フラグ挿入回路２６が挿入したフラッグは、表示スクリーンに視覚的なインディケータを与えるので、操作者は、試験期間中に、このインディケータを見ることができる。このフラッグの値は、受信したコンポジット・アナログ・ビデオ信号からのカラー・フレームの第１フィールド期間中は大きく、他のフィールド期間中は小さい。フラッグ挿入回路２６からのフラッグの挿入されたコンポーネント・デジタル・ビデオ信号をアナライザのデジタル信号プロセッサ（ＤＳＰ）２８に供給して、上述した如き蓄積された基準テスト・シーケンスと比較する。
【００１２】
アナライザ２８は、挿入されたフラッグを有するコンポーネント・デジタル・ビデオ信号を捕捉し、カラー・フレームの開始期間中に、このフラッグをチェックする。蓄積された基準テスト・シーケンスは、反復でもよいので、各可能なカラー・フレーム位相に対して１つの基準シーケンスが存在する。すなわち、ＮＴＳＣの場合には２つの基準シーケンスが存在し、ＰＡＬの場合には４つの基準シーケンスが存在し、ＳＥＣＡＭの場合には６つの基準シーケンスが存在する。例えば、上述のアメリカ合衆国特許に記載されているような差分技術を用いて、捕捉したビデオのカラー・フレーム位相を基にし、適切な基準シーケンスを選択し、測定を実行する。なお、アナライザ２８は、詳細に後述するが、ローリング・シーケンスでない場合、（１）フラッグ付きビデオ・シーケンスを捕捉し、（２）カラー・フレーム位相に対するフラッグをチェックし、（３）同じカラー・フレーム位相の基準シーケンスを選択し、（４）差分技法を用いて測定を実行する。
【００１３】
図３は、少なくとも１個のエンコーダを内部に有する被試験システム（ＳＵＴ）１６’用で、図１と同様のテスト設定を示す。この場合、テスト・シーケンス・ソース（信号源）１２からのコンポーネント・デジタル・ビデオ信号は、エンコーダ１４を用いることなく、ＳＵＴ１６’に直接的に入力する。
【００１４】
図１に関する上述の説明においては、ソース１２からのビデオ・テスト・シーケンスは、特定のコンポジット・ビデオ・スタンダード用のカラー・フレームに含まれたフレームの数の倍数である偶数個のフレームを有すると仮定した。しかし、他の実施では、「ローリング」シーケンスを用いており、テスト・シーケンスのフレームの数は、Ｎ×ＣＦ＋／−１に等しい。なお、ＣＦは、カラー・フレームであり（ＮＴＳＣではＣＦ＝２、ＰＡＬではＣＦ＝４、ＳＥＣＡＭではＣＦ＝６）、Ｎは整数である。この場合、たった１つの基準テスト・シーケンスが受信器２４に必要である。基準シーケンスが５秒間の場合、ソース１２からの総合テスト・シーケンスは、ＮＴＳＣでは１０秒間であり、ＰＡＬでは２０秒間であり、ＳＥＣＡＭでは３０秒間である。テスト・シーケンスの特定ループが基準テスト・シーケンスと同じカラー・フレーム位相であることをフラッグが示すとき、アナライザ２８のＤＳＰは、ＳＵＴ１６からのビデオ・シーケンスを捕捉する。基準シーケンスに関連したテスト・シーケンスのローリングを図４に示す。
【００１５】
図１に示すように、単一のエンコード／デコードＳＵＴ１６用のローリング・シーケンス方法により、アナライザ２８が連続する差分処理において固有アーティファクトをキャンセルすることを確実にする。また、コンポーネント・デジタル・ビデオ信号がＳＵＴ１６’を駆動するが、図３に示すように、出力がアナログ・コンポジットである「ハイブリッド」システムでは、カラー・フレーム情報を帰還させてシーケンス・ソース１２をトリガするエンコーダ１４に頼らないので、この方法は良好に動作する。また、受信器は、ＳＵＴ１６の出力を待って、蓄積された基準シーケンスのカラー・フレームにマッチさせるので、受信器２４において、わずか１つの基準シーケンスが必要である。
【００１６】
アナライザ２８のＤＳＰは、図５に示すように、ＳＵＴ１６からのテスト・シーケンス用のヘッダを試験して、テスト・シーケンスが基準テスト・シーケンスと同じであるかを判断する（シーケンスＩＤがマッチするか）。テスト・シーケンスが基準テスト・シーケンスに対応すると判断されると（イエスならば）、カラー・フレーム位相にマッチしている間、テスト・シーケンスを検索する（シーケンスＣＦ０＝ＲＥＦ）。カラー・フレームがマッチすると（イエスならば）、アナライザ２８のＤＳＰは、基準テスト・シーケンスに対する画像品質分析のために、テスト・シーケンスの所望部分を捕捉する（シーケンスからデータを捕捉）。図６に示す実施例では、開始において、高レベル・プロセッサは、低レベル・プロセッサに、基準シーケンスに対応する正しいシーケンスの識別子に対して、ＳＵＴ１６からのテスト・シーケンスのヘッダをサーチ（検索）させる（シーケンス・ヘッダをサンプル）と同時に、カラー・フレーム位相フラッグ値に対して、アクティブ・ビデオ内のフラッグ位置をチェックする（カラー・フレーム位相をサンプル）。適切なテスト・シーケンスが検出され、カラー・フレーム位相が求まると、低レベル・プロセッサは、その結果を高レベル・プロセッサにリポートして（結果リポート）、高レベル・プロセッサで表示する（結果表示）。また検索を停止し、テスト・シーケンスから所望部分を捕捉する（検索停止、ビデオ捕捉）。５秒間のテスト・シーケンスに対して、例えば、第３及び第４秒の間、テスト・シーケンスからビデオの２秒分を捕捉する。ローリング・テスト・シーケンスでは、特定の反復からビデオの２秒分を得るが、これは、基準シーケンスのカラー・フレーム位相にマッチしている。
【００１７】
図７は、フラッグ挿入回路２６の一例を示す。入力には、デコーダ２２内の従来のコンポジット対デジタル・コンポーネント・デコーダからのコンポーネント・デジタル・ビデオ信号の如き入力信号ＩＮ（９・・・０）及びクロック信号（ＣＬＫ）；デコーダ２２内のコンポジット・アナログ・ビデオ信号のＳＣ／Ｈ（サブキャリア対水平同期）位相及びカラー・バーストから得たカラー・フレーム信号（フレーム）；外部から供給されるイネーブル（ＦＬＧ＿ＥＮＡ）コマンド及びスタンダード（ＮＴＳＣ）コマンドがある。この特定実施例にとって、ＮＴＳＣコマンドは、ＮＴＳＣスタンダード用の値と、ＰＡＬスタンダード用の値との間の選択を行う。フラッグ信号ＦＶ（９・・・０）と共に入力信号ＩＮ（９・・・０）は、マルチプレクサ（ＭＵＸ）３０に入力し、このマルチプレクサ３０は、ＭＵＸ選択回路４４からの選択信号により制御される。マルチプレクサ３０は、フラッグ信号を入力信号に挿入して、フラッグを有する出力信号ＯＵＴ（９・・・０）を発生する。この出力信号を、フラッグ付きコンポーネント・デジタル・ビデオ信号としてアナライザ２８に伝送する。
【００１８】
ＳＡＶ（アクティブ・ビデオの開始）検出回路４２は、入力信号のＦＦコード及び特定ビットを受け、コンポーネント・デジタル・ビデオ信号内のアクティブ・ビデオの終了（ＥＡＶ）シーケンス及びアクティブ・ビデオの開始（ＳＡＶ）シーケンスの間を識別し、アクティブ・ビデオ信号及びフィールド１開始信号（Ｆ＿ＳＴＡＲＴ）を発生する。フレーム信号及びＦ＿ＳＴＡＲＴ信号は、フレーム・カウンタ（カウント回路）３２に入力し、フレーム信号がカラー・フレームの開始にてカウンタ３２をクリアし、Ｆ＿ＳＴＡＲＴ信号がカウンタ３２を増分する。フレーム・カウンタ３２の出力信号は、フレーム・カウント信号ＦＲＭ（１，０）である。ＮＴＳＣの場合、１カラー・フレーム毎に２フレームあるので、計数値は０及び１の間で交互になり、ＰＡＬの場合、１カラー・フレーム毎に４フレームあるので、計数値は０〜３の範囲である。ＦＲＭ（１、０）信号は、フラッグ値発生回路（フラッグ発生器）３４に入力し、このフラッグ値発生回路３４は、マルチプレクサ３０にて入力信号ＩＮ（９・・・０）に挿入されるフラッグ値ＦＶ（９・・・０）を発生する。フラッグ値発生回路３４が出力する値は、ＮＴＳＣコマンドが指示する特定スタンダードと、カラー・フレーム内のフレーム番号で決まる。視覚的な表示を行うために、この値は、カラー・フレームの第１フィールド期間中は高であり、残りのフィールド期間中は大幅に低くなる。
【００１９】
ライン選択回路３６は、ライン・カウンタ３８及び比較器４０を含んでいる。
ライン・カウンタ３８は、ＳＡＶ検出器４２からのＦ＿ＳＴＡＲＴ信号でクリアされ、ＳＡＶ検出器４２からのアクティブ・ビデオ・ライン信号（ＡＨＬ＿ＳＴＡＲＴ）で増分される。ライン・カウンタ３８からの計数値は、ＮＴＳＣコマンドと共に比較器４０に入力し、この比較器４０は、２つの値（ＮＴＳＣ又はＰＡＬ）のいずれを計数値と比較するかを決定する。比較器４０で一致が生じると、この比較器４０は、フラッグ・ライン信号ＦＬＧ＿ＬＮを出力する。このＦＬＧ＿ＬＮ信号は、マルチプレクサ選択回路４４に入力する。この選択回路４４は、ＳＡＶ検出器４２からのアクティブ信号及びＦＬＧ＿ＥＮＡコマンドも受ける。
ＳＡＶ検出器４２は、選択回路４４にピクセル・カウント（第１、第２信号）を発生するので、ＦＬＧ＿ＬＮ信号が指示するラインで、第１及び第２信号が指示するピクセル期間中に、ＦＬＧ＿ＥＮＡコマンドによりイネーブル（付勢）されると、選択回路４４により、マルチプレクサ３０は、入力信号ＩＮ（９・・・０）の代わりにＦＶ（９・・・０）を出力端に通過させる。
【００２０】
図２に示すように、エンコーダ１４からのカラー・フレーム情報をテスト・シーケンス・ソース１２へ帰還することにより、このソース１２を実際に完全に制御すると、ＳＵＴ１６によるカラー・フレームの反転を検出できる。受信器２４は、ソース１２から発生されたテスト・シーケンスの位相を判っているので、その位相がＳＵＴ１６により変更されると、その変更を検出し、操作者用に表示する。これは、奇数回の位相反転についてのみ作用する。偶数回の位相反転を検出できないが、エンコーダ／デコーダのアーティファクトを差分技法ではキャンセルできないので、測定に悪影響が残る。
【００２１】
多数のエンコード／デコード・サイクルがあるローリング方法を用いると、カラー・フレーム位相の反転を検出することは難しい。１つの方法は、カラー・フレーム・レートでテスト・シーケンス内に大きな変化の生じるモードがあるようにエンコーダ１４を設計することである。フラッグの第２形式のみを用いて、可能性のあるカラー・フレーム反転を診断する。受信器２４において、アナライザ２８は、第１及び第２フラッグがカラー位相に一致しているか、即ち、エラーが生じたか否かを観察する。他の方法では、テスト・シーケンス・ソース１２が、ローリング・シーケンスと同様に、非ローリング・シーケンスも発生できる。非ローリング・シーケンスがトリガされずに、これらシーケンスが既知の位相の場合、両端部において、シーケンス・カウント（計数値）に関係して位相を測定できるし、比較できる。シーケンス・カウントに関連した位相が変化すると、カラー・フレーム位相は、保護されない。なお、これら方法は、奇数の反転を検出するのみである。
【００２２】
【発明の効果】
上述の如く、本発明の装置及び方法は、デコードしたコンポーネント・デジタル・ビデオ信号の１つのチャネル内にフラッグを挿入し、このフラッグをアナライザで用いて、被試験システムからのビデオ・テスト・シーケンスが何かを判断し、捕捉して（取り込んで）、基準テスト・シーケンスと比較し、差分技術を用いて、被試験システムの画像品質測定を行う。このテスト・シーケンスは、好ましくは、ローリング・シーケンスであり、カラー・フレームの整数倍よりも長いか又は短い１フレームの長さを有する。よって、本発明は、コンポジット・アナログ・ビデオ・カラー・フレームのアライメントを、容易且つ確実に制御し検出できる。
【図面の簡単な説明】
【図１】本発明によるカラー・フレーム位相アライメントの制御及び検出を用いて、コンポジット・アナログ・ビデオ入力を受ける被試験システムのビデオ忠実度を試験する装置のブロック図である。
【図２】異なるコンポジット・アナログ・テレビジョン・スタンダード用のカラー・フレームを示す図である。
【図３】本発明によるカラー・フレーム位相アライメントの制御及び検出を用いて、コンポジット・デジタル・ビデオ入力を受ける被試験システムのビデオ忠実度を試験する装置のブロック図である。
【図４】本発明によるカラー・フレーム位相アライメントの制御及び検出のために回転（ローリング）しているテスト・シーケンスを示す図である。
【図５】本発明によるカラー・フレーム位相アライメントの制御及び検出を用いて、被試験システムからのビデオ・シーケンスを捕捉する処理を示す概念的流れ図である。
【図６】本発明によるカラー・フレーム位相アライメントの制御及び検出を用いて、被試験システムからのビデオ・シーケンスを捕捉する処理を示すより詳細な流れ図である。
【図７】本発明によるカラー・フレーム位相アライメントの制御及び検出のために、コンポーネント・デジタル・ビデオ信号の１つのコンポにフラッグを挿入する回路の簡単なブロック図である。
【符号の説明】
１２  テスト・シーケンス・ソース（信号源）
１４  エンコーダ
１６  被試験システム（ＳＵＴ）
１８  デジタル信号プロセッサ（ＤＳＰ）ボード
２０  ビデオ信号発生送信器
２２  デコーダ
２４
２６  フラッグ挿入回路
２８  アナライザ
【図１】
0003944329.tif 000002
【図２】
0003944329.tif 000003
【図３】
0003944329.tif 000004
【図４】
0003944329.tif 000005
【図５】
0003944329.tif 000006
【図６】
0003944329.tif 000007
【図７】
0003944329.tif 000008